(57)【特許請求の範囲】
【請求項１】
孔あきプレートからなる正面板の背面に吸音材を有し、前記吸音材の背面へ所定のスペースを介して背面板を有する中空状の防音パネルの設置状態における上部には、当該防音パネルの上部へ長さ方向に沿って被さる状態に笠材が取り付けられ、
前記笠材は、上方に面する部分が断面円弧状に形成された上面板部を有するとともに、長さ方向に沿う下向きの開口部を狭めて全体がほぼ逆チャンネル状に形成され、前記開口部の両側辺に沿って下向きのフランジを一体に有する薄肉の逆チャンネル状パネル材と、前記逆チャンネル状パネル材の内面に設置された吸音材と、を備え、
前記逆チャンネル状パネル材は、当該逆チャンネル状パネル材の内部へ前記開口部から前記防音パネルの一部が突入した状態で、前記フランジを前記正面板と背面板へ固定することによって前記防音パネルへ取り付けられ、
前記正面板の孔は、前記逆チャンネル状パネル材の開口部から下方へ突出した部分に形成され、
前記逆チャンネル状パネル材内の吸音材は、前記防音パネルの設置状態において少なくとも正面側に面する部分に設置され、
前記逆チャンネル状パネル材の前記吸音材が設置されている領域に対応する部分には多数の孔が形成されていることを特徴とする、
笠材付き防音パネル。
【請求項２】
前記防音パネルの内部には、前記逆チャンネル状パネル材の前記フランジと対応する部分に、チャンネル状の補強板が下向き又は上向きにかつスペーサ状に挿入されている、請求項１に記載の笠材付き防音パネル。
【請求項３】
前記逆チャンネル状パネル材は、前記上面板部と、当該逆チャネンネル状パネル材の正面側端部及び背面側端部から円弧状に曲げられ、前記開口部へ向けてほぼ水平に又は先下がり状にかつ一体に延びる一対の平板状の下面板部とから構成されている、請求項１又は２に記載の笠材付き防音パネル。
【請求項４】
前記逆チャンネル状パネル材は、前記上面板部の一箇所において長さ方向に沿って分割された正面側パネルと背面側パネルとから構成され、前記正面側パネルと背面側パネルは長さ方向に沿って連結ないし接合されている、請求項１〜３のいずれかに記載の笠材付き防音パネル。
【請求項５】
前記逆チャンネル状パネル材内には、一端が前記正面側パネルと背面側パネルとの連結部へ連結され、他端が前記防音パネルの上端部へ連結された遮音板が設けられている、請求項４に記載の笠材付き防音パネル。
【請求項６】
前記防音パネルの両端部は、前記笠材の長さ方向の両端部から所定量突出している、請求項１〜５のいずれかに記載の笠材付き防音パネル。
【請求項７】
前記逆チャンネル状パネル材は、当該逆チャンネル状パネル材の長さ方向の両端部内面へ当該端部から一部突出する状態に固定され、かつ、当該逆チャンネル状パネル材とほぼ同じ断面形状を有する連結板を含んでいる、請求項６に記載の笠材付き防音パネル。
【発明の詳細な説明】
【０００１】
【発明の属する技術分野】
この発明は、一般的には笠材付き防音パネルに関するものであり、さらに具体的には、高速道路の路肩部分へ施工するのに特に適する笠材付き防音パネルに関するものである。
【０００２】
【従来の技術】
例えば高速道路における従来の防音壁について、図１３及び図１４を参照しながら説明する。
図１３はその正面図（防音すべき音源の発生側である高速道路の路面側から見た図）であり、図１４はその上部の部分拡大断面図である。なお、この従来の防音壁の一部は特開平６−２３５２０９号公報に記載されている。
【０００３】
図１３において、高速道路１の側部にはほぼ垂直に立ち上がるように鉄筋コンクリートからなる路肩壁１０が施工されている。この路肩壁１０の背面側又は上部には、適当なアンカー部材１１等によって支柱２がほぼ一定の間隔で直立するように立設されている。
各支柱２相互の間には、所定の統一規格の防音パネル３が差し渡し状に、かつ上下方向へ重ねられた状態で設置され、これらの各防音パネル３の両端は当該端部におけるそれぞれの支柱２へ適当な手段によって固定されている。前記各防音パネル３の中の最上位の防音パネル３の上部には、図１４のような断面形状の笠材３ａが固定されている。
最上位の防音パネル３の上部に笠材３ａを取り付けるのは、防音壁の上端部における音波の回折による減音を促進させ、防音壁をさらに高くした場合と同じ効果を得るためである。
【０００４】
図１３及び図１４の構造の笠材付き防音壁を施工するには、各支柱２を所要箇所に立設した後、防音パネル３を最下位から順次上下方向に沿って重ね、これを重ねる都度当該防音パネル３を対応する支柱２へ固定してゆく。
最上位の防音パネル３の端部を対応する支柱２へ固定した後、当該最上位の防音パネル３の上部へ当該上部を覆うように笠材３ａを固定する。
【０００５】
笠材３ａは、図１４のように対称的な断面鉤状の多孔板からなる外側プレート３ｂ，３ｂと、外側プレート３ｂとそれぞれ相似形でサイズが小さい内側プレート３ｃ，３ｃと、各外側プレート３ｂ，３ｃの間へ挿入状に設置されたグラスウールその他の吸音材３ｄ，３ｄとから構成されている。したがって、この笠材３ａは、上部おける正面側部と背面側部とが円弧状に膨出したほぼ壺形断面に形成されている。
外側プレート３ｂ，３ｂ相互と、内側プレート３ｃ，３ｃ相互は、上部の連結板３ｅを介して連結されている。
防音パネル３は、ルーバ状に孔を形成した多孔板よりなる正面プレート３０と、当該正面プレート３０と所定の空間を介して平行する背面プレート３１と、正面，背面各プレート３０，３１のスペーサを兼ねた上面プレート３２と、図示しない底面プレート及び各側面プレートと、内部に挿入された図示しないグラスウールその他の吸音材等から構成されている。
笠材３ａを最上位の防音パネル３の上部へ固定するには、各内面プレート３ｃ，３ｃの端部垂下部の内側へ長さ方向に沿って取付板３ｆ，３ｆをそれぞれネジによって固定し、この取付板３ｆ，３ｆを、防音パネル３の正面プレート３０，背面プレート３１へそれぞれボルトナット３３，３３によって取り付ける。
【０００６】
【発明が解決しようとする課題】
前記従来の防音壁を施工するには、各支柱２の間へ差し渡し状になるように、最下位の防音パネル３から最上位の防音パネル３まで順に重ねて前記支柱２へ固定した後、前述の要領で最上位の防音パネル３の上部へ当該上部を覆うように笠材３ａを固定する。したがって、最上位の防音パネル３へ笠材３ａをボルトナット３３等によって取り付けるには、防音壁の背面側へ作業用の足場を設置する必要があり、この足場の設置のために施工コストが高くなるという課題があった。このことは、笠材３ａの取り替え施工の場合も同様である。
図１４の最上位の防音パネル３における笠材３ａは、多孔板からなる外側プレート３ｂ，３ｂと、外側プレート３ｂとそれぞれ相似形でサイズが小さい内側プレート３ｃ，３ｃとから構成されているので、構造が複雑で製造コストが高価になるという課題があった。
また従来の防音壁では、最上位の防音パネル３における笠材３ａが、防音パネル３の上部へ大きく突出している（最上位の防音パネル３の上端から５００mm前後）ので、防音壁が高くなり、その分風圧などによって支柱２に過剰な応力が加わるという課題があった。
この発明の目的は、施工の際に音源の反対側である背面側に作業用の足場を設置する必要がなく、施工コストがより低廉な笠材付き防音パネルを提供することにある。
この発明の他の目的は、構造がより簡単で低コストで製造することができ、笠材が防音壁の上部から過剰に突出しないような構造の笠材付き防音パネルを提供することにある。
【０００７】
【課題を解決するための手段】
この発明による笠材付き防音パネルは、前述の課題を解決するため以下のように構成したものである。
すなわち、請求項１に記載の笠材付き防音パネルは、孔あきプレートからなる正面板の背面に吸音材を有し、前記吸音材の背面へ所定のスペースを介して背面板を有する中空状の防音パネルの設置状態における上部には、当該防音パネルの上部へ長さ方向に沿って被さる状態に笠材が取り付けられ、
前記笠材は、上方に面する部分が断面円弧状に形成された上面板部を有するとともに、長さ方向に沿う下向きの開口部を狭めて全体がほぼ逆チャンネル状に形成され、前記開口部の両側辺に沿って下向きのフランジを一体に有する薄肉の逆チャンネル状パネル材と、前記逆チャンネル状パネル材の内面に設置された吸音材と、を備え、
前記逆チャンネル状パネル材は、当該逆チャンネル状パネル材の内部へ前記開口部から前記防音パネルの一部が突入した状態で、前記フランジを前記正面板と背面板へ固定することによって前記防音パネルへ取り付けられ、
前記正面板の孔は、前記逆チャンネル状パネル材の開口部から下方へ突出した部分に形成され、
前記逆チャンネル状パネル材内の吸音材は、前記防音パネルの設置状態において少なくとも正面側に面する部分に設置され、
前記逆チャンネル状パネル材の前記吸音材が設置されている領域に対応する部分には多数の孔が形成されていることを特徴としている。
【０００８】
請求項２に記載の笠材付き防音パネルによれば、請求項１の防音パネルにおいて、前記防音パネルの内部には、前記逆チャンネル状パネル材の前記フランジと対応する部分に、チャンネル状の補強板が下向き又は上向きにかつスペーサ状に挿入されている。
【０００９】
請求項３に記載の笠材付き防音パネルによれば、請求項１又は２の防音パネルにおいて、前記逆チャンネル状パネル材は、前記上面板部と、当該逆チャネンネル状パネル材の正面側端部及び背面側端部から円弧状に曲げられ、前記開口部へ向けてほぼ水平に又は先下がり状にかつ一体に延びる一対の平板状の下面板部とから構成されている。
【００１０】
請求項４に記載の笠材付き防音パネルによれば、請求項１〜３のいずれかの防音パネルにおいて、前記逆チャンネル状パネル材は、前記上面板部の一箇所において長さ方向に沿って分割された正面側パネルと背面側パネルとから構成され、前記正面側パネルと背面側パネルは長さ方向に沿って連結されている。
【００１１】
請求項５に記載の笠材付き防音パネルによれば、請求項４に記載の防音パネルにおいて、前記逆チャンネル状パネル材内には、一端が前記正面側パネルと背面側パネルとの連結部へ連結され、他端が前記防音パネルの上端部へ連結された遮音板が設けられている。
【００１２】
請求項６に記載の笠材付き防音パネルによれば、請求項１〜５のいずれかの防音パネルにおいて、前記防音パネルの両端部は、前記笠材の長さ方向の両端部から所定量突出している。
【００１３】
請求項７に記載の笠材付き防音パネルによれば、請求項６の防音パネルにおいて、前記逆チャンネル状パネル材は、当該逆チャンネル状パネル材の長さ方向の両端部内面へ当該端部から一部突出する状態に固定され、かつ、当該逆チャンネル状パネル材とほぼ同じ断面形状を有する連結板を含んでいる。
【００１４】
【発明の実施の形態】
図１〜図１２を参照しながら、この発明による笠材付き防音パネルの実施形態を詳細に説明する。
図１〜図４には、この発明による笠材付き防音パネルの一例が示されており、図５〜図８には、この発明による防音パネルを使用して施工した防音壁の例が示されている。
図１は笠材付き防音パネルの断面図、図２はその部分省略正面図（設置状態における音源側から見た図）、図３はその部分省略平面図、図４は防音パネル部分の端部の部分破断拡大平面図である。
【００１５】
第１実施形態
図１の笠材付き防音パネルは、中空状の防音パネル４と、この防音パネル４の上部へこれに被さるように取り付けられた防音用の笠材５とによって構成されている。
防音パネル４は、孔あきプレートからなる正面板４０と、この正面板４０の背面に沿って設けられた吸音材４５と、この吸音材４５の背面へ所定のスペース４ｂを介して設置された背面板４１と、上・下面板４２，４３及び両側面板４４によって構成されている。
【００１６】
前面板はアルミニウム又はその合金からなる厚み１．０mm程度の薄板で、その主要部（後述の笠材５へ突入している部分より以下の部分）にはルーバ状に加工された孔４０ａが多数形成されている。
グラスウール又はロックウールからなる吸音材４５は、前記正面板４０の孔４０ａが形成されている領域に対応するように設置されている。この吸音材４５は、肉厚２０μｍ前後のＰＶＦその他の柔軟な合成樹脂フィルムからなる薄肉多孔性の図示しない保護フィルムによってカバーされ、このようにカバーした状態で正面板４０の背面へ張られている。
【００１７】
背面板４１は厚み１．６mm程度の鉄板又は鋼板であり、図１の上下方向である高さ方向のほぼ中央には、前記吸音材４５を押さえるように水平方向へ沿う溝４１ａが形成されている。
上面板４２は、正面板４０が背面方向へ一体に曲げ加工された板と、背面板４１が正面方向へ一体に曲げ加工された板とが二重になっている。
下面板４３は、背面板４１が正面方向へ一体に曲げ加工された板によって形成されている。
【００１８】
両側面板４４は、背面板４１とほぼ同様な厚み，材質の板によって図４のようにチャンネル状に成形されており、チャンネルの底部の所定部分が正面板４０と背面板４１との間のスペーサとなるように両面板４０，４１へリベット止めその他の手段によって固定されている。
防音パネル４の両側部端部には、上下方向に沿って溝状の切欠部４６が形成され、この切欠部４６内に収まるように、前記側面板４４へアイボルト４７が固定されている。パネル４の両側端部において、正面板４０はチャンネル状の側面板４４の側面をカバーするように延長されており、この延長部分の表面には、例えば５倍発泡のクロロプレンゴム等のシール材４０ｂが貼り付けられている。
防音パネル４内には、後述の笠材５のフランジ５ｅ，５ｆと対応する部分に、背面板４１と同様な材質のチャンネル状の補強板４８がスペーサを兼ねて挿入固定されている。
【００１９】
笠材５は、断面が半月状に似た逆チャンネル状パネル材５０と、当該パネル材５０の内面に面して張られた吸音材５３とから構成されている。
逆チャンネル状パネル材５０は、断面円弧状に形成された上方に面する上面板部５ａと、この上面板部５ａの正面側ａの端部及び背面側ｂの端部から円弧状に曲げられ、下方の長さ方向に沿う開口部５ｄに向けて先下がり状にかつ一体に延びる一対の平板状の下面板部５ｂ，５ｃとを有しており、前記開口部５ｄの両側縁には各下面板部５ｂ，５ｃと一体にフランジ５ｅ，５ｆを有している。
逆チャンネル状パネル材５０には、背面側ｂの下面板部を除く部分に開口率２５％以上になるように多数の孔５５（図２及び図３）が形成され、前記吸音材５３は、前記パネル材５０の内面において、前記多数の孔５５が形成されている部分にのみ対応するようになっている。
吸音材５３は、防音パネル４における吸音材４５と同様な材質であり、同様な図示しない保護カバーで覆った状態で図示のように設置されている。
【００２０】
この実施形態の笠材５において、逆チャンネル状パネル材５０は、前記上面板部５ａの中央よりやや背面側寄りの一箇所において長さ方向に沿って、アルミニウム又はその合金により一体に押出成形された正面側パネル５１と背面側パネル５２とに分割されている。
５４はアルミニウム合金又は鋼からなる遮音板であり、その下端鍔部は防音パネル４の上面板４２へリベット止めなどによって固定されている。
前記正面側パネル５１と背面側パネル５２は、防音パネル４の上部を逆チャンネル状パネル材５０の内部へ突入（突入量は、逆チャンネル状パネル材５０の上面板部５ａから開口部５ｄまでの深さの１／３〜４／５程度）させた状態で、各フランジ５ｅ，５ｆの部分を、防音パネル４の正面板４０と背面板４１の外面へ前記補強板４８と対応するように当接させ、リベット止めなどにより防音パネル４の両面へ固定される。
フランジ５ｅ，５ｆを前述のように防音パネル４へ固定したならば、前記上面板部５ａの部分で正面側パネル５１と背面側パネル５２の一部と前記遮音板５４の上部鍔部とを長さ方向に沿って重ね、この重ね部分をリベット止めなどにより相互に連結する。
【００２１】
図２及び図３で示すように、笠材５の前記逆チャンネル状パネル材５０は、その長さ方向の両端部に連結板５０ａ，５０ａを有している。各連結板５０ａは、その断面形状が逆チャンネル状パネル材５０の断面形状とほぼ同じであり、それらの一部が前記パネル材５０のそれぞれ対応する端部の内側へ重ねられ、この重なり部分でリベット止めなどにより前記パネル材５０と連結されている。
図２及び図３で示すように、防音パネル４の長さ方向の両端部は、前記連結板５０ａを含む逆チャンネル状パネル材５０の端部から一部突出しており、その突出量は、図４のように防音パネル４の端部を断面Ｈ形の支柱２のフランジ２０，２０が形成する溝内に案内したとき、笠材５の逆チャンネル状パネル材５０が前記支柱２へ被さらない程度に設定される。
【００２２】
次に、前記実施形態の笠材付き防音パネルを使用して、高速道路の側部における防音壁を施工する要領について説明する。
図５は、施工された笠材付き防音壁の部分正面図、図６はその拡大側断面図、図７は図６の矢印Ａ−Ａに沿う部分拡大断面図、図８は図７の矢印Ｂ−Ｂに沿う一部拡大断面図である。
【００２３】
図５及び図６で示すように、先ず高速道路１の路肩壁１０の上部には、適当なアンカー部材１１などによってＨ形鋼による支柱２がほぼ一定の間隔で直立するように立設する。この立設状態において、支柱２の各フランジ２０，２０（図４，図７及び図８）の側面は、音源側である正面側及び背面側に面している。
各支柱２相互の間には、所定の統一規格の防音パネル４ａ，４ａ，４ａが差し渡し状に、かつ上下方向へ重ねられた状態で順に設置され、これらの各防音パネル４ａの両端部はそれぞれ支柱２へ順に固定する。この実施形態では、施工すべき防音壁の高さは２ｍであり、したがって、各防音パネル４ａ，４の高さは５００mmである。
その後、前記実施形態の防音パネル４を最上位へ同様に設置し、その端部を隣合う支柱２，２へ固定する。
【００２４】
下位の各防音パネル４ａは、最上位の防音パネル４から笠材５と補強板４８とを除去し、正面板４０の上部まで孔４０ａを形成するとともに、正面板４０の背面の上部に達するまで吸音材４５を設置したものと同じ構造である。
各防音パネル４ａ，４は、図４のようにそれらの両端部を支柱２の対のフランジ２０，２０の間へ案内する要領で設置されるが、この際には、防音パネル４ａ，４の側部のアイボルト４７の部分へ図示しないロープないしワイヤを通し、これを例えば移動式クレーンなどで吊り上げて適正位置へ移動させ、各防音パネル４ａ，４の端部を支柱２のフランジ２０，２０の間に案内する。
【００２５】
各支柱２の下端近くのウエブ部２１には孔２２が形成されており、図７で示すように前記孔２２にワイヤ２１を通す。
各防音パネル４ａ，４を順に積み重ねる毎に、当該パネル４ａ，４の側部におけるアイボルト４７へ前記ワイヤ２３を通し、当該パネル４ａ，４の側端部において、図７及び図８で示すように、防音パネル４ａ，４の背面と支柱２の背面側のフランジ２０との間隙ｃに押え金具６を押し込み（打ち込み）、防音パネル４ａ，４の両端部を支柱２，２へ固定する。
押え金具６は、図８で示すように、プレート状の押え片６０と、この押え片６０と一体な弾性押込み片６１とから構成され、前記押え片６０が防音パネル４ａ，４の端部上面へ当接するまで、上方より前記間隙ｃ内へ弾性押し込み片６１を押し込むか打ち込むことにより、防音パネル４ａ，４を支柱２へ固定する。
【００２６】
図７及び図８のように、各支柱２の上端にはアングル金具２４，２４を介して蓋状の係止板２５が固定され、この係止板２５には防音パネル４の長さ方向へ沿うような長孔状の挿通孔２７が形成されている。
そして、前述のように各支柱２，２相互の間へ最下位の防音パネル４ａから最上位の防音パネル４まで順に固定したならば、図７及び図８のように、前記各ワイヤ２３の上端を、それぞれの支柱２の上端の係止板２５の挿通孔２７へ下方から上方へ挿通し、当該ワイヤ２３，２３を締め付けネジ２６で緊張させる。
このように施工することによって、上下方向に積み重ねられ、それぞれの支柱２へ固定されている最上位の防音パネル４とその下位の各防音パネル４ａとをずれないように連係させる。
【００２７】
次いで、隣合う笠材５相互の間の空いている部分（前記支柱２の上部に対応する部分）には、相互の連結板５０ａ，５０ａの上に重なるように、笠材５における逆チャンネル状パネル材５０の主部の断面形状とほぼ適合する断面形状の補助笠材５６を被せて覆うとともに、この補助笠材５６を両側の連結板５０ａ，５０ａへリベット，接着その他の手段により連結する。
以上のように施工することにより、上端を包むように連続した笠材５を有する防音壁が構築される。
この実施形態における補助笠材５６は、図８のように、逆チャンネル状パネル材５０における正・背面側パネル５１，５２と同様な断面形状の正面側パネル５１ａと背面側パネル５２ｂとから構成され、両パネル５１ａ，５２ａは、分割部の重ね部分がリベットによってあらかじめ連結されている。
【００２８】
笠材５を取り替える施工を行う場合には、各補助笠材５６を取り外し、締め付けネジ２６を取り外してワイヤ２３を最上位の防音パネル４のアイボルト４７から抜き、押え金具６を取り外す。
そして、最上位の防音パネル４のアイボルト４７へ図示しないロープなどを通して当該防音パネル４を笠材５とともに撤去し、下位の防音パネル４ａの上に新たな笠材付き防音パネル４を重ね、前記実施形態におけると同様に施工すればよい。
【００２９】
以上のように施工された防音壁によれば、図１おび図６の正面側ａに発生した騒音の音波は、各防音パネル４，４ａの正面板４０を通過して吸音材４５により減音され、吸音材４５の背面のスペース４ｂを通過して背面板４１で反射され、再度吸音材４５を通過することによってさらに減音される。
音源から笠材５の正面側に達した音波は、円弧状の上面板部５ａと下面板部５ｂの表面に沿って背面側へ移動する間に吸音材５３によって減音され、防音パネル４の笠材５内に突入している部分及び遮音板５４によって反射され、再度吸音材５３を通過することによってさらに減音される。
【００３０】
前記実施形態の笠材付き防音壁パネル４を使用した防音壁によれば、最上位の防音パネル４には、その上部へ被さるようにあらかじめ笠材５が取り付け、これを下位の防音パネル４ａの上に重ねて支柱２へ固定するので、最上位の防音パネル４又は支柱２への笠材５の取付のために背面側ｂへ足場を設置する必要がなく、非常に低コストで笠材付き防音壁を施工できるようになった。
この防音壁によれば、笠材５は、最上位の防音パネル４の上部において、前記支柱２のフランジ２０相互の間に案内される部分を除く部分に取り付けられており、支柱２の上部に対応する部分は、両端部が当該支柱２を挟む両側の最上位の防音パネル４における笠材５の端部へ連結され、当該笠材５の主部の断面形状とほぼ適合する断面形状の補助笠材５６によって覆うので、押え金具６によって最上位の防音パネル４を支柱２へ固定するのが非常に円滑になる。
【００３１】
前記実施形態の笠材付き防音パネルによれば、施工時に最上位の防音パネルを除く直下の下位の防音パネル４ａの上に笠材付き防音パネル４を重ね、これを支柱２へ固定することにより、前記防音壁の施工方法を円滑に実施することができる。
この実施形態の笠材付き防音パネルは、所定規格の防音パネル４の上部へ、当該防音パネル４の上部が一部突入するように笠材５を取り付けたので、施工後の防音壁の高さがあまり高くならず、その分支柱２の負担が軽くなるとともに、視界の遮蔽をより小さくすることができる。
前記笠材付き防音パネルは、笠材５の上方に面する部分が断面円弧状の上面板部５ａを形成しているので、音源側からの音波が前記上面板部５ａに沿って背面側へ円滑に回折し、その過程で円滑に笠材５の内部で減音される。
前記笠材付き防音パネルは、笠材５の内部に遮音板５４が設けられており、前記回折中の音波が内部を通って吸音材５３で減音され、空間を通過して前記遮音板５４に反射されて再度吸音材５３で減音されるので、より大きな消音効果が得られる。
前記笠材付き防音パネルは、笠材５の逆チャンネル状パネル材５０を固定する部分の内部に、チャンネル状の補強板４８がスペーサ状に挿入されているので、逆チャンネル状パネル材５０のフランジ５ｅ，５ｆを、防音パネル４へリベット又はネジで取り付けた場合、防音パネル４の当該部分の脆弱化や変形などをよく防止することができる。
前記笠材付き防音パネルは、逆チャンネル状パネル材５０が、正面側パネル５１と背面側パネル５２とに分割されているから、例えば押出成形の時に非常に成形し易いとともに、両パネル５１，５２の接合部（連結部）へ遮音板５４の一端部を同時に連結することにより、笠材５の内部に遮音板５４を取り付けるのが非常に容易になる。
前記笠材付き防音パネルは、防音パネル４の両端部が、笠材５の長さ方向の両端部から所定量突出しているので、断面Ｈ形の支柱２のフランジ２０相互間に防音パネル４の端部を案内し、この端部を押え金具６などによって支柱２へ固定するのがより円滑である。
前記笠材付き防音パネルにおいて、逆チャンネル状パネル材５０の端部には、当該逆チャンネル状パネル材５０とほぼ同じ断面形状を有する連結板が、前記パネル材５０の内側へ一部重なる状態で連結されているので、隣合う笠材５相互を補助笠材５６を介して連結する施工が円滑に行われる。
【００３２】
前記実施形態において、正面側パネル５１と背面側パネル５２は、同じ断面形状で同じサイズに成形することができる。このように成形すると、一種類だけ製造することによって、当該パネルを両パネル５１，５２として使用することができる。
【００３３】
第２実施形態
図９は、笠材付き防音パネルの他の実施形態を示す概略断面図、図１０は図９の防音パネルを最上位に使用した施工方法による笠材付き防音壁の部分正面図、図１１はその側断面図、図１２は図１０の矢印Ｃ−Ｃに沿う部分拡大断面図である。
【００３４】
この実施形態の笠材付き防音パネルにおいて、防音パネル４は第１実施形態とほぼ同様に構成されているが、見掛けの厚みが第１実施形態の防音パネルより厚く、その分スペース４ｂが広い点、正面板４０の多数の孔４０ａがルーバ状でなく丸孔である点、上面板４２が背面板４１と一体である点、防音パネル４の両側部には、図１２のように上下方向に沿って支柱２の一部が案内される切欠状部４９が形成されている点において異なっている。
笠材５は、逆チャンネル状パネル材５０の正面側パネル５１と背面側５２とが、ほぼ同形同サイズである点、及び図１０のように、逆チャンネル状パネル材５０の長さは、防音パネル４の長さと一致している点、逆チャンネル状パネル材５０の両端部に連結板が設けられていない点において、第１実施形態の防音パネルとは異なっている。
その他の構成は、第１実施形態における笠材付き防音パネルとほぼ同様であるので、その説明は省略する。
【００３５】
第２実施形態の防音パネルを用いた防音壁の施工要領について以下説明する。
高速道路１の路肩壁１０の背面側には、適当なアンカー部材１１などにより一定の間隔で支柱２が立設されている。各支柱２は防音すべき音源側である正面側に面する平滑部２０ａを有しており、この実施形態では、断面Ｈ形の支柱２の正面側フランジ２０，２０が前記平滑部２０ａを形成している。なお、支柱２は正面側に面して平滑部２０ａが形成されていれば、断面Ｈ形である必要はなく、断面四角パイプ状であっても、あるいはチャンネル状その他の断面形状でも差し支えない。
【００３６】
隣合う支柱２の間には、下位の防音パネル４ａを上下方向に沿って差し渡し状に順に重ね、それらの端部を支柱２へ固定する。
最上位の防音パネル４を除く他の下位の防音パネル４ａの構成は、最上位の防音パネル４とほぼ同様であるが、笠材５が取り付けられていない点、吸音材５３が正面板４０の上端部に達するまで設置されており、正面板４０の上端部まで孔４０ａが形成されている点、及び、補強板４８を有していない点において防音パネル４とは構成を異にしている。
各防音パネル４ａを支柱２へ固定した後、笠材５を有する防音パネル４を最上位に重ね、その端部をそれぞれ対応する支柱２へ固定する。
【００３７】
各防音パネル４ａ，４を支柱２に沿って重ねるとき、図１２のように、防音パネル４，４ａの側部の切欠状部４９内へ支柱２が断面において半部近く挿入ないし案内される状態に各パネル４ａ，４を設置する。
各防音パネル４ａ，４の端部をそれぞれの支柱２へ固定するには、前記切欠状部４９の正面側のフランジ状部４４ａを支柱２の平滑部２０ａへ当接させ、当該フランジ状部４４ａを支柱２の平滑部２０ａへボルト７及びナット７０により取り付ける。
なお、支柱２への各防音パネル４ａ，４の固定手段は前述のとおりであるので、下位の各防音パネル４ａ，４ａ，４ａを重ね、その上に最上位の防音パネル４を重ねた後、それらの各パネル４ａ，４を支柱へ固定してもよい。
【００３８】
前述のような施工状態において、隣合う防音パネル４，４の笠材５，５間には、図１０で示す間隙ｗが生じるが、この間隙ｗは非常に狭いのでそのままでも差し支えない。しかしながら、必要があればこの間隙ｗはパテその他の図示しないシール材で塞ぐことができる。
【００３９】
この実施形態の防音パネルを使用した防音壁によれば、各ボルト７とナット７０によって各防音パネル４ａ，４が支柱２へ固定されるので、これらのパネル４ａ，４の支柱への固定が非常に簡単であり、したがって、笠材付き防音壁の施工もより簡単である。
その他の構成や作用，効果は、第１実施例による施工方法の場合とほぼ同様であるから、それらの説明は省略する。
【００４０】
前述の各実施形態において、笠材５の逆チャンネル状パネル材５０は、前述のような断面形状のものに代えて、例えば下面板部５ｂ，５ｃを水平に形成することができるほか、これを全体として円筒状に形成しても実施することができる。
【００４１】
【発明の効果】
本発明に係る笠木付き防音パネルによれば、これを防音壁の最上位に使用することによって、足場を組まないで円滑に施工することができる。
請求項１に記載の防音パネルによれば、当該防音パネルが笠材内へ一部突入する状態に、すなわち、防音パネルの上部が笠材によって包まれる状態に笠材が取り付けられているので、これを防音壁の最上位へ固定した場合、防音壁が過剰に高くならないように施工することができ、その分支柱の負担が軽減されるとともに、視界の遮蔽をより小さくすることができる。
【００４２】
請求項２に記載の防音パネルによれば、笠材の逆チャンネル状パネル材におけるフランジを固定する部分の内部に、チャンネル状の補強板がスペーサ状に挿入されているので、逆チャンネル状パネル材の各フランジを、防音パネルへリベット又はネジで取り付けた場合、防音パネルの当該部分の脆弱化や変形などをよく防止することができる。
【００４３】
請求項３に記載の防音パネルによれば、笠材の逆チャンネル状パネル材が、断面円弧状の上面板部と、この上面板部の正面側側部及び背面側側部から円弧状に曲げられ、下方の開口部へ向けてほぼ水平に又は先下がり状にかつ一体に延びる一対の平板状の下面板部とを有しているので、音源側からの音波が前記パネル材の表面に沿って円滑に回折し、その過程で円滑に笠材の内部で減音される。
【００４４】
請求項４に記載の防音パネルによれば、笠材における逆チャンネル状パネル材が、正面側パネルと背面側パネルとに分割されているから、例えば押出成形のときに非常に成形し易い。また、笠材内に遮音板を取り付けるとき、その取り付けは前記パネル材が一体であるよりも非常に容易になる。
【００４５】
請求項５に記載の防音パネルによれば、請求項４の防音パネルにおいて、笠材における正面側パネルと背面側パネルを連結ないし接合するとき、当該接合部へ遮音板の一端部を同時に連結し、遮音板の他端部を防音パネルの上端部へ固定したので、前記遮音板による音波の反射によって減音効果をさらに高めることができる。
また、この構造の防音パネルと、例えば実開平１−１３８９０９号公報に記載されている防音パネルとを比較すると、前記構造によって遮音板の取り付けが非常に簡単でかつ確実になる。さらに、正面側パネルと背面側パネルの接合ないし連結と、遮音板の取り付けとが同時に行われるので、工程上遮音板を有する笠材付き防音パネルをより低コストで製造することができる。
【００４６】
請求項６に記載の防音パネルによれば、防音パネルの両端部が、笠材の長さ方向の両端部から所定量突出しているので、例えば前述の施工方法のように、断面Ｈ形の支柱のフランジ相互間に防音パネルの端部を案内し、この端部を押え金具などによって支柱へ固定するのがより円滑である。
【００４７】
請求項７に記載の防音パネルによれば、逆チャンネル状パネル材の端部には、当該逆チャンネル状パネル材とほぼ同じ断面形状を有する連結板が、前記パネル材の内側へ一部重なりかつ当該パネル材の端部から一部突出する状態で連結されているので、前述の施工方法のように、隣合う笠材相互を補助笠材を介して連結する施工を非常に円滑に実施することができる。
【図面の簡単な説明】
【図１】第１実施形態の笠材付き防音パネルの側断面図である。
【図２】図１の防音パネルの一部省略正面図である。
【図３】図１の防音パネルの一部省略平面図である。
【図４】図１の防音パネルにおけるパネル部分の端部の部分破断平面図である。
【図５】第１実施形態の防音パネルを使用して施工した笠材付き防音壁の部分正面図である。
【図６】図５の笠材付き防音壁の側断面図である。
【図７】図６の矢印Ａ−Ａに沿う部分拡大断面図である。
【図８】図７の矢印Ｂ−Ｂに沿う部分断面図である。
【図９】第２実施形態の笠材付き防音パネルの側断面図である。
【図１０】図９の防音パネルを使用して施工した笠材付き防音壁の部分正面図である。
【図１１】図１０の笠材付き防音壁の側断面図である
【図１２】図１０矢印Ｃ−Ｃに沿う部分拡大断面図である。
【図１３】従来の防音パネルを用いて施工された笠材付き防音壁の部分正面図である。
【図１４】図１３の矢印Ｄ−Ｄに沿う部分拡大断面図である。
【符号の説明】
ａ  正面側
ｂ  背面側
ｃ  間隙
１  高速道路
１０  路肩壁
１１  アンカー部材
２  支柱
２０  フランジ
２１  ウエブ部
２２  孔
２３  ワイヤ
２４  アングル板
２５  係止板
２６  締め付けネジ
２７  挿通孔
３  防音パネル
３ａ  笠材
３ｂ  外側プレート
３ｃ  内側プレート
３ｄ  吸音材
３ｅ  連結板
３ｆ  取付板
３０  正面プレート
３１  背面プレート
３２  上面プレート
３３  ボルトナット
４，４ａ  防音パネル
４ｂ  スペース
４０  正面板
４０ａ  孔
４０ｂ  シール材
４１  背面板
４１ａ  溝
４２  上面板
４３  下面板
４４  側面板
４４ａ  フランジ状部
４５  吸音材
４６  切欠部
４７  アイボルト
４８  補強板
４９  切欠状部
５  笠材
５ａ  上面板部
５ｂ，５ｃ  下面板部
５ｄ  開口部
５ｅ，５ｆ  フランジ
５０  逆チャンネル状パネル材
５０ａ  連結板
５１  正面側パネル
５２  背面側パネル
５３  吸音材
５４  遮音板
５５  孔
５６  補助笠材
６  押え金具
６０  押え片
６１  弾性押し込み片
７  ボルト
７０  ナット
【図１】
0003561099.tif 000002
【図２】
0003561099.tif 000003
【図３】
0003561099.tif 000004
【図４】
0003561099.tif 000005
【図５】
0003561099.tif 000006
【図６】
0003561099.tif 000007
【図７】
0003561099.tif 000008
【図８】
0003561099.tif 000009
【図９】
0003561099.tif 000010
【図１０】
0003561099.tif 000011
【図１１】
0003561099.tif 000012
【図１２】
0003561099.tif 000013
【図１３】
0003561099.tif 000014
【図１４】
0003561099.tif 000015